(57)【特許請求の範囲】
【請求項１】
メインの１次電池と、
前記１次電池からスイッチを介して給電されるバックアップ用の２次電池と、
前記スイッチを導通状態又は非導通状態に制御するスイッチ制御部と、を備え、
前記スイッチ制御部は、
前記１次電池の電圧が所定の第１の電圧以上である場合には、前記スイッチを導通状態にし、
前記１次電池の電圧が所定の第１の電圧を下回った場合に、前記スイッチを非導通状態にし、その後、前記１次電池の電圧が前記２次電池の電圧以上となったときには、前記スイッチを導通状態にする
ことを特徴とする携帯機器の電源制御回路。
【請求項２】
前記１次電池の電圧を監視し、前記１次電池の電圧が前記所定の第１の電圧を下回った場合には出力信号を変化する電池電圧監視手段を更に備え、
前記スイッチ制御部は、
前記１次電池の電圧が前記所定の第１の電圧を下回ったことで前記電池電圧監視手段の出力信号が変化した場合に、当該変化時から所定の時間前記スイッチを非導通状態にし、当該所定の時間経過後に、前記１次電池の電圧が前記２次電池の電圧以上となったときには、前記スイッチを導通状態にする、
ことを特徴とする請求項１に記載の携帯機器の電源制御回路。
【請求項３】
前記スイッチ制御部は、
前記電池電圧監視手段の出力信号を所定の時間遅延させて出力する遅延素子と、
前記１次電池の電圧と前記２次電池の電圧を比較し、比較結果信号を出力するコンパレータと、
前記遅延素子の出力信号の反転信号と、前記コンパレータの出力信号との論理積信号を出力する論理積回路と、
前記電池電圧監視手段の出力信号と、前記論理積回路の出力信号との論理和信号を前記スイッチに出力する論理和回路と、
を備える
ことを特徴とする請求項２に記載の携帯機器の電源制御回路。
【請求項４】
前記２次電池の電圧を監視するバックアップ電圧監視手段を更に備え、
前記バックアップ電圧監視手段は、
前記２次電池の電圧が所定の第２の電圧を下回った場合には、バックアップ回路に対してリセット信号を出力する
ことを特徴とする請求項１乃至３いずれか１項に記載の携帯機器の電源制御回路。
【請求項５】
前記１次電池の電圧が所定の第１の電圧以上である場合には、前記バックアップ電圧監視手段の動作を停止する
ことを特徴とする請求項４に記載の携帯機器の電源制御回路。
【請求項６】
メインの１次電池の電圧が所定の第１の電圧以上である場合には、当該１次電池とバックアップ用の２次電池との間に接続されるスイッチを導通状態にし、
前記１次電池の電圧が所定の第１の電圧を下回った場合には、前記スイッチを非導通状態にし、その後、前記１次電池の電圧が前記２次電池の電圧以上となったときには、前記スイッチを導通状態にする
ことを特徴とする携帯機器の電源制御方法。
【請求項７】
前記１次電池の電圧が前記所定の第１の電圧を下回った場合には、当該下回った時から所定の時間前記スイッチを非導通状態にし、当該所定の時間経過後に、前記１次電池の電圧が前記２次電池の電圧以上となったときには、前記スイッチを導通状態にする、
ことを特徴とする請求項６に記載の携帯機器の電源制御方法。
【請求項８】
前記１次電池の電圧を監視し、前記１次電池の電圧が前記所定の第１の電圧を下回った場合に値を変化させる第１の検出信号を出力し、
前記第１の検出信号を所定の時間遅延させて出力し、
前記１次電池の電圧と前記２次電池の電圧を比較し、比較結果信号を出力し、
前記遅延させて出力される信号の反転信号と、前記比較結果信号との論理積信号を出力し、
前記第１の検出信号と、前記論理積信号との論理和信号を前記スイッチに出力する
ことを特徴とする請求項７に記載の携帯機器の電源制御方法。
【請求項９】
前記２次電池の電圧が所定の第２の電圧を下回った場合には、バックアップ回路に対してリセット信号を出力する
ことを特徴とする請求項６乃至８いずれか１項に記載の携帯機器の電源制御方法。
【発明の詳細な説明】
【技術分野】
【０００１】
本発明は、携帯機器の電源制御回路及び携帯機器の電源制御方法に関する。
【背景技術】
【０００２】
今日、携帯通信機器の高性能化及び多機能化が進む一方で、その部品点数の低減及び低コスト化が進んでいる。現在では、携帯通信機器の電池パックが筐体から外れた場合、もしくは電池電圧が低下してシステムがダウンした場合には、バックアップ用のコイン電池等を使用することで、搭載されているＳＲＡＭのデータ保持や、時計の計時を継続させることなどが行われている。
【０００３】
また、コストダウンの一手法として、近年では、バックアップ用のコイン電池を大容量のコンデンサに置き換えることが行われている。
【０００４】
また、本発明に関連する技術として、特許文献１乃至３に記載された技術がある。例えば特許文献１には、バックアップ電源と、主電源とバックアップ電源間に接続されるＭＯＳトランジスタと、バックアップ電源に流れる電流の向きを検出する手段とを備えたバックアップ電源回路が開示されている。
【先行技術文献】
【特許文献】
【０００５】
【特許文献１】特開２００９−２１９１７６号公報
【特許文献２】特開平０８−２４２５４６号公報
【特許文献３】特開平０９−２９４３３０号公報
【発明の概要】
【発明が解決しようとする課題】
【０００６】
しかしながら、コイン電池を用いた方法と同じようにして置き換えたコンデンサのみを用いてバックアップを行うものとしては、コンデンサは放電のためにコイン電池に比べて遥かに短い時間しか同程度の電圧を保持することができず、コンデンサを用いたバックアップの電圧保持時間は、瞬時的な電池外れの時間程度しか保証されないという問題がある。
【０００７】
また、上述した特許文献１に開示されたバックアップ電源回路は、メインの電池電圧とバックアップ用の電池電圧との比較に応じてバックアップ動作時にバックアップ用の電池を給電することは開示しておらず、電池外れ時や電池の低電圧時に、バックアップ電圧保持時間の延長を目的とするものではない。
【０００８】
従って本発明の目的は、携帯機器のバックアップシステムに関して、バックアップ電圧保持時間の延長が可能な携帯機器の電源制御回路及び携帯機器の電源制御方法を提供することである。
【課題を解決するための手段】
【０００９】
本発明に係る携帯機器の電源制御回路は、メインの１次電池と、前記１次電池からスイッチを介して給電されるバックアップ用の２次電池と、前記スイッチを導通状態又は非導通状態に制御するスイッチ制御部と、を備え、前記スイッチ制御部は、前記１次電池の電圧が所定の第１の電圧以上である場合には、前記スイッチを導通状態にし、前記１次電池の電圧が所定の第１の電圧を下回った場合に、前記スイッチを非導通状態にし、その後、前記１次電池の電圧が前記２次電池の電圧以上となったときには、前記スイッチを導通状態にするものである。
【００１０】
また、本発明に係る携帯機器の電源制御方法は、メインの１次電池の電圧が所定の第１の電圧以上である場合には、当該１次電池とバックアップ用の２次電池との間に接続されるスイッチを導通状態にし、前記１次電池の電圧が所定の第１の電圧を下回った場合には、前記スイッチを非導通状態にし、その後、前記１次電池の電圧が前記２次電池の電圧以上となったときには、前記スイッチを導通状態にするものである。
【発明の効果】
【００１１】
本発明によれば、携帯機器のバックアップ方法に関して、バックアップ電圧保持時間の延長が可能な携帯機器の電源制御回路及び携帯機器の電源制御方法を提供することができる。
【図面の簡単な説明】
【００１２】
【図１】実施の形態１に係る携帯機器の構成図である。
【図２】実施の形態１に係るスイッチ制御回路の詳細図である。
【図３】実施の形態１に係る携帯機器の電池電圧が低下した場合の動作図である。
【図４】実施の形態１に係る携帯機器の電池電圧が低下した場合の動作図である。
【図５】実施の形態１に係る携帯機器の電池電圧が上昇した場合のシーケンスである。
【図６】実施の形態１に係る携帯機器の通常動作からバックアップ動作への切り替わる時のＳＷの制御フローである。
【図７】その他の実施の形態に係るスイッチ制御回路の詳細図である。
【図８】本発明に関連する携帯機器の構成図である。
【図９】本発明に関連する携帯機器の電池電圧が低下した場合の動作図である。
【発明を実施するための形態】
【００１３】
まず、本発明の実施の形態について説明する前に、本発明の原理及び特徴について説明する。
本発明に係る携帯機器の電源制御回路は、メインの１次電池と、１次電池からスイッチを介して給電されるバックアップ用の２次電池と、スイッチを導通状態又は非導通状態に制御するスイッチ制御部と、を備えている。
【００１４】
スイッチ制御部は、１次電池の電圧が所定の第１の電圧以上である場合には、スイッチを導通状態にする。また、１次電池の電圧が所定の第１の電圧を下回った場合には、スイッチを非導通状態にし、その後、１次電池の電圧が２次電池の電圧以上となったときには、スイッチを導通状態にする。これにより、電池電圧の低下時において、バックアップ電圧保持時間を延長させることができる。
【００１５】
バックアップ手段の２次電池として大容量のコンデンサを用いる場合に、バックアップの保持時間を長くすることを目的として、メイン電池からの持ち出しを利用した点を特徴とする。
【００１６】
また、スイッチはＰＭＯＳのＦＥＴを用いて構成することができ、スイッチを制御する制御の論理には、１次電池の電圧と２次電池の電圧のコンパレート出力を利用する。そして、１次電池の電圧が残っている場合には、残量をバックアップの電源ソースとして利用し、電池電圧が残っていない場合には、バックアップ用の２次電池に蓄積された電荷が１次電池側に逆流しないようにした点を特徴とする。
【００１７】
さらに、バックアップ動作に移行する際には、電池電圧検出信号に基づく制御から、電池電圧とバックアップ電圧とのコンパレート出力へと、遅延回路を用いて、スイッチの制御を切り替え可能とした点を特徴とする。
【００１８】
実施の形態１．
以下、図面を参照して本発明の実施の形態１について説明する。
図１、２、８を参照して、携帯機器の構成を説明する。
まず、本発明の理解を容易とするため、図８を参照して、本発明に関連する電源回路について先に説明する。図８は本発明に関連する携帯機器の構成図である。
【００１９】
図８に示すように、携帯機器は、リチウムイオンなどの電池パック１（メインの１次電池）と、電池からの電圧を受けて出力及び制御を行う電源回路２と、システムを構成するための制御系デバイス３と、表示系デバイス４と、アプリケーション用デバイス５と、データ入力部６と、を備えている。
【００２０】
電源回路２は、電池からの電圧を各デバイスに対して適した電圧にして出力すると共に、それら出力の制御を行なう。電源回路２は、一般的に、これらデバイス（制御系デバイス３、表示系デバイス４、アプリケーション用デバイス５）に対して、電源２１〜２３をそれぞれ有している。
【００２１】
また、携帯機器は、Ｉ／Ｆ用共通電源７を備えており、電源回路２には、共通のインターフェースの電源７（Ｉ／Ｆ用共通電源７）として、電源２４が個別に設けられている。
【００２２】
さらに、携帯機器は、システムがシャットダウンした場合においてもその機能を維持して駆動し続けるために、バックアップ用の大容量のコンデンサ１４（バックアップ用の２次電池）を備えている。携帯機器が備える時計機能９と、発振回路１０と、バックアップ系レジスタ等１１と、バックアップ電圧監視手段（ＤＥＴＢＫ）１２とは、バックアップ用電池（コンデンサ１４）を電源として機能する。
【００２３】
コンデンサ１４は、バックアップ用の大容量コンデンサであり、電源回路２の電源２５からダイオート８を介して充電が行なわれる。抵抗１３は保護用として設けられている。尚、コンデンサ１４はボタン電池に置き換えられることもある。
【００２４】
また、携帯機器は、電源の入力に対して変動を抑えるために、デカップリングとしてコンデンサ１５〜１９を用意していることが多い。
【００２５】
図８に例示した電源回路２は、各デバイスに対する電源がそれぞれ用意されており、デバイスごとにその電圧範囲・電流容量が決められている。
【００２６】
また、電源回路２は、電池電圧監視手段（ＤＥＴ）２６を備えており、電池電圧監視手段（ＤＥＴ）２６を用いてバックアップ動作に入る構成となっている。すなわち、電池電圧監視手段（ＤＥＴ）２６が所定の値の電池電圧を検出した場合には、システムをシャットダウンしてバックアップ動作に入る構成となっている。電源回路２では、電池電圧が低下した場合には前述の特性を満足することができなくなる電源もあるためである。従って、図８に例示した携帯機器では、コンデンサを用いたバックアップの電圧保持時間は、瞬時的な電池外れの時間程度しか保証されない。
【００２７】
次に、図１を参照して、本実施の形態に係る電源制御回路の構成について説明する。図１は、本実施の形態に係る携帯機器の構成図である。図１に示す携帯機器は、図８で示した携帯機器のバックアップ用電源２５をＰｃｈ  ＦＥＴのスイッチ（ＳＷ２０１）に置き換えると共に、そのスイッチ（ＳＷ２０１）の制御回路２０２を追加したものである。これにより、バックアップ電圧の保持時間を延長可能とする。尚、ＳＷ２０１及びスイッチ制御回路２０２を除く他の要素については図８で示した要素と同一の構成であるため、以下では、その詳細な説明を省略する。
【００２８】
図２を参照して、スイッチ制御回路２０２の詳細について説明する。
図２に示すように、スイッチ制御回路２０２は、ＯＲゲート２０２１と、遅延素子２０２２と、ＡＮＤゲート２０２３と、電池電圧（ＶＢＡＴ）及びバックアップ電圧（ＶＢＫ）を比較するコンパレータ２０２４と、を備えている。
【００２９】
遅延素子２０２２に関しては、抵抗とコンデンサを用いて時定数が設定されるものとしてもよい。遅延素子２０２２は、コンパレータ２０２４の出力が安定する時間を確保すると共に、電池電圧とバックアップ電圧との間で電位差が生じさせることを目的とする。
【００３０】
スイッチ制御回路２０２は、電池電圧監視手段（ＤＥＴ）２６の出力信号と、電池電圧（ＶＢＡＴ）のモニタ信号と、バックアップ電圧（ＶＢＫ）のモニタ信号と、に基づいてＳＷ２０１をオン又はオフとする（導通状態とする又は非導通状態とする）制御を行う。
【００３１】
次に、図３乃至６、９を参照して、携帯機器のバックアップ動作を説明する。
まず、本発明の理解を容易とするため、図９を参照して、本発明に関連する、携帯機器のバックアップ動作について先に説明する。ここでは、図８に示した携帯機器のバックアップ動作を例に説明する。図９は、本発明に関連する電源制御切り替えのシーケンス図である。
【００３２】
図９に示すように、図８に例示した携帯機器に関して、電池電圧（ＶＢＡＴ）が所定値（Ｖｄｅｔ−）を下回った場合には、電池電圧監視手段（ＤＥＴ）２６の出力である電池電圧検出信号（電源ＯＮ／ＯＦＦ信号）は、'Ｈ'から'Ｌ'へと変化する。尚、時刻ｔ０からｔ１までの間は、バックアップ電圧（電源２５の出力電圧−寄生ダイオードの順方向電圧Ｖｆ）が供給されている。また、図９では、電池電圧（ＶＢＡＴ）を、破線を使用して示し、バックアップ電圧（ＶＢＫ）を、実線を使用して示している。
【００３３】
電池電圧監視手段（ＤＥＴ）２６の出力信号の変化時には、電源回路２では、電源２１〜２４がシャットダウンする。また、コンデンサ１４、時計機能９、発振回路１０、バックアップ系レジスタ１１等のバックアップ機能にそれまで供給していた電源２５についても、同時にＯＦＦされる。そして、電源２５がＯＦＦされた後は、コンデンサ１４がこれらバックアップ機能の電源となり、バックアップ動作が行なわれる。このとき、給電用のレギュレータ（電源２５）がＯＦＦするために、メイン電池の電圧に関係せず、コンデンサ容量のみで放電が行われる。
【００３４】
バックアップ電圧監視手段（ＤＥＴＢＫ）１２は、バックアップ動作中のバックアップ電圧（ＶＢＫ）を監視しており、消費される電流のためにバックアップ電圧（ＶＢＫ）が所定値（Ｖｄｅｔ＿ｂｋ−）を下回った場合には、バックアップ機能をリセットする。従って、バックアップされる時間（ｔ２−ｔ１）は、コンデンサ１４の容量とバックアップ機能での消費電流とに応じて決まってしまう。
【００３５】
次に、図３乃至６を参照して、本実施の形態に係る電源回路の動作を説明する。以下では、電池電圧が低下した場合の動作を図３及び図４を参照して説明し、電池電圧が上昇した場合のシーケンスを図５を参照して説明し、通常動作からバックアップ動作への切り替わる時のＳＷ２０１の制御フローを図６を参照して説明する。
【００３６】
まず、図３及び図４を参照して、電池電圧が低下した場合の動作を説明する。図３は、メインの電池パック１が取り外され、電池電圧がバックアップ電圧を下回った場合の動作を例示する。図４は、放電のため電池パック１の電圧が低下した場合など、電池電圧がバックアップ電圧より高い状態での動作を例示する。
【００３７】
図３に示す例では、メイン電池パック１が取り外されて電池電圧（ＶＢＡＴ）が低下すると共に、バックアップ電圧（ＶＢＫ）も同時に低下する。尚、図３では、電池電圧（ＶＢＡＴ）を、破線を使用して示し、バックアップ電圧（ＶＢＫ）を、実線を使用して示している。
【００３８】
電池電圧（ＶＢＡＴ）の低下に応じて電池電圧監視手段（ＤＥＴ）２６の出力信号が'Ｈ'から'Ｌ'に変化した場合、ＳＷ２０１は一時的にＯＦＦして、バックアップ動作に移行する。ＳＷ２０１は、遅延時間の経過後には、電池電圧（ＶＢＡＴ）とバックアップ電圧（ＶＢＫ）の比較結果に基づいて制御される。すなわち、時間ｔ１からｔ２にかけて遅延素子２０２２を用いて遅延制御が行われ、時間ｔ２以降は、コンパレータ２０２４の出力が反映される。このため、バックアップ動作時に、電池電圧（ＶＢＡＴ）に比べてバックアップ電圧（ＶＢＫ）が高い場合には、ＳＷ２０１はそのままＯＦＦの状態を保つ。従って、電池側への逆流が防止されると共に、コンデンサ１４を用いてバックアップ動作が行なわれる。
【００３９】
図４に示す例では、放電などのため電池電圧が低下した場合に、図３に示した場合と同様にして、電池電圧監視手段（ＤＥＴ）２６の出力信号が'Ｈ'から'Ｌ'に変化し、ＳＷ２０１は一時的にＯＦＦする。尚、図４においても、電池電圧（ＶＢＡＴ）を、破線を使用して示し、バックアップ電圧（ＶＢＫ）を、実線を使用して示している。
【００４０】
しかし、図３で示した例とは異なり、図４では、遅延制御のためにＳＷ２０１がＯＦＦしている間（時間ｔ１からｔ２の間）は、電池電圧が残存していることから、バックアップ電圧（ＶＢＫ）は電池電圧（ＶＢＡＴ）よりも先に低下する。バックアップ電圧（ＶＢＫ）よりも電池電圧（ＶＢＡＴ）が高くなるため、コンパレータ２０２４は'Ｈ'を出力する。そして、遅延制御が解除された以降（時間ｔ２以降）はコンパレータ２０２４の出力が反映されるため、ＳＷ２０１は、再びＯＮとなる。従って、バックアップ動作時には、バックアップ用のコンデンサ１４からの給電だけではなく、電池からの給電も行なわれるため、バックアップ電圧の保持時間を長く保つことができる。
【００４１】
図５は、電池電圧が上昇した場合（所定の電圧（Ｖｄｅｔ＋）以上となった場合）のシーケンス図を示す。図５に示すように、バックアップ動作状態（時間ｔ１までの間）では、ＳＷ２０１がＯＮ又はＯＦＦであるかに関係なく、電池電圧監視手段（ＤＥＴ）２６の出力信号が'Ｌ'から'Ｈ'に変化した場合には、ＳＷ２０１は、即座にＯＮ状態となり、コンデンサ１４は充電状態になる。尚、図５では、電池電圧（ＶＢＡＴ）を、破線を使用して示している。また、バックアップ電圧（ＶＢＫ）を、ＳＷ２０１がＯＮである場合には実線を使用して示し、ＯＦＦである場合には電池電圧（ＶＢＡＴ）の破線よりも細かい点線を使用して示している。また、バックアップ電圧（ＶＢＫ）に関して、ＳＷ２０１のＯＮ時の電圧とＯＦＦ時の電圧の差は、Ｐｃｈ  ＦＥＴの寄生ダイオードの順方向電圧Ｖｆ分である。
【００４２】
図６は、電池電圧の低下に応じて通常動作からバックアップ動作へと切り替わる時点での、ＳＷ２０１の制御フローを示す。
まず、電池電圧（ＶＢＡＴ）が低下する（Ｓ１）。そして、電池電圧（ＶＢＡＴ）が所定の値を下回った場合には、電池電圧監視手段（ＤＥＴ）２６の出力信号がＨ→Ｌになる（Ｓ２でＹｅｓ）。このとき、ＳＷ２０１は、ＯＮ状態から一時的にＯＦＦになる（Ｓ３）。
【００４３】
遅延が解除された後、電池電圧（ＶＢＡＴ）とバックアップ電圧（ＶＢＫ）の比較結果が反映され、電池電圧（ＶＢＡＴ）がバックアップ電圧（ＶＢＫ）の値以上となる場合（Ｓ４でＹｅｓ）には、ＳＷ２０１はＯＮとなる。
【００４４】
バックアップ電圧（ＶＢＫ）が電池電圧（ＶＢＡＴ）の値を下回った場合（Ｓ４でＮｏ）には、ＳＷ２０１はそのままＯＦＦ状態となって、バックアップ動作が行なわれる。
【００４５】
バックアップ動作中、バックアップ電圧監視手段１２がバックアップ電圧（ＶＢＫ）をモニタし、所定の値を下回るまで、バックアップ動作が行われる（Ｓ６でＮｏ）。
【００４６】
バックアップ電圧（ＶＢＫ）が所定の値を下回った場合（Ｓ６でＹｅｓ）には、バックアップ機能はリセットされ（Ｓ７）、完全なシャットダウン状態となる。
【００４７】
以上説明したように、本実施の形態１によれば、電池電圧（ＶＢＡＴ）の低下に応じてシステムがシャットダウンしてバックアップ動作に入った場合には、バックアップ用の電源を電池から供給するように切り替えることで、より長いバックアップ時間を確保することができる。
また、瞬間的な電池外れが発生した場合には、その際のバックアップは、バックアップ用のコンデンサ１４からの放電と、電池ラインに接続されているデカップリングコンデンサ１５〜１９からの電荷の供給を行うことができる。このため、バックアップ電圧の電圧降下を抑制することができ、バックアップ時間の延長が可能になる。
さらに、システム起動時においても、バックアップ用のコンデンサ１４は電池に対してスルーとなることから、システムに供給する電源のデカップリングコンデンサとしても動作することを期待できる。
このように、コンデンサ１４を用いてバックアップ動作を行なう場合に、メインの電池電圧の低下時、システムのシャットダウン時、瞬時的な電池外れ時などにおいて、バックアップ電圧保持時間を延長することができる。
【００４８】
その他の実施の形態．
図７を参照して、本発明の他の実施の形態について説明する。
図７は、本実施の形態に係る携帯機器の構成図である。図７に示す携帯機器は、図２で示した携帯機器の電池電圧監視手段（ＤＥＴ）２６の出力信号を、バックアップ電圧監視手段（ＤＥＴＢＫ）１２のイネーブル信号として使用するものである。尚、他の要素については図２で示した要素と同一の構成であるため、以下では、その詳細な説明を省略する。
【００４９】
図７では、電池電圧監視手段（ＤＥＴ）２６の出力信号が'Ｈ'の場合にはＳＷ２０１はＯＮし、電池電圧がそのままバックアップ電圧になる。このため、バックアップ電圧監視手段（ＤＥＴＢＫ）１２を動作させる必要がない。従って、バックアップ動作時においてのみバックアップ電圧監視手段（ＤＥＴＢＫ）を用いて監視させることができるため、通常動作時にはＯＦＦとすることで、消費電流を抑制することができる。
【００５０】
尚、本発明は上記実施の形態に限られたものではなく、趣旨を逸脱しない範囲で適宜変更することが可能である。
【符号の説明】
【００５１】
１  電池パック、
２  電源回路、
３  制御系デバイス、
４  表示系デバイス、
５  アプリケーション用デバイス、
６  データ入力部、
７  Ｉ／Ｆ用共通電源、
８  ダイオート、
９  時計機能、
１０  発振回路、
１１  バックアップ系レジスタ等、
１２  バックアップ電圧監視手段（ＤＥＴＢＫ）、
１３  抵抗、
１４〜１９  コンデンサ、
２１〜２５  電源、
２６  電池電圧監視手段（ＤＥＴ）、
２０１  ＳＷ、
２０２  スイッチ制御回路
２０２１  ＯＲゲート、
２０２２  遅延素子、
２０２３  ＡＮＤゲート、
２０２４  コンパレータ
【図１】
0005445205.tif 000002
【図２】
0005445205.tif 000003
【図３】
0005445205.tif 000004
【図４】
0005445205.tif 000005
【図５】
0005445205.tif 000006
【図６】
0005445205.tif 000007
【図７】
0005445205.tif 000008
【図８】
0005445205.tif 000009
【図９】
0005445205.tif 000010